(57)【要約】【課題】基地局から端末に向けて災害警報が配信されたことを監視装置が知ること。【解決手段】通信システムは、基地局（３）と、伝送網（ＮＷ）を構成する複数の伝送装置（１−１〜１−４）と、複数の伝送装置（１−１〜１−４）を監視する監視装置（２）と、伝送網（ＮＷ）から基地局（３）に対して、災害警報の配信を要求する配信要求が送信された場合、その旨を表す配信通知を監視装置（２）に送信する通知部（４）と、を備えている。【選択図】図１
2016178395.tif 000002
【特許請求の範囲】
【請求項１】
基地局と、
伝送網で伝送される情報を中継する複数の伝送装置と、
前記伝送網内の通信経路であるパスを設定する監視装置と、
前記伝送網から前記基地局に対して、災害警報の配信を要求する配信要求が送信された場合、その旨を表す配信通知を前記監視装置に送信する通知部と、を備える、通信システム。
【請求項２】
前記監視装置は、
前記複数の伝送装置毎に、該伝送装置に接続される基地局が前記伝送網を介して上位装置と通信を行う場合の前記パスを設定する設定部と、
前記配信通知を受信する通信部と、を含み、
前記設定部は、
前記配信通知を受信した場合、前記配信要求の送信先の基地局に接続される伝送装置を特定し、前記複数の伝送装置の各々の故障状況及び前記複数の伝送装置間の伝送路の通信品質状況のうちの少なくとも一方を基に、前記特定した伝送装置の緊急時用パスを算出し、前記特定した伝送装置に設定していたパスを前記算出した緊急時用パスに切り替える、請求項１に記載の通信システム。
【請求項３】
前記通知部は、
前記複数の伝送装置の各々に設けられており、
前記通知部が設けられた前記伝送装置が前記配信要求を中継した場合に、前記配信通知を前記監視装置に送信する、請求項２に記載の通信システム。
【請求項４】
前記通知部は、
前記監視装置に送信する前記配信要求に、前記基地局に接続される前記伝送装置の識別情報を含め、
前記監視装置は、
前記複数の伝送装置の各々の識別情報を記憶する記憶部をさらに含み、
前記設定部は、
前記配信通知を受信した場合、前記配信通知に含まれる識別情報と、前記複数の伝送装置の各々の識別情報と、を基に、前記配信通知に含まれる識別情報を持つ伝送装置を、前記配信要求の送信先の基地局に接続される伝送装置と特定する、請求項３に記載の通信システム。
【請求項５】
前記配信要求を生成し、生成した配信要求を前記伝送網に送信する配信要求生成装置をさらに備え、
前記通知部は、
前記配信要求生成装置に設けられており、
前記配信要求生成装置が前記配信要求を前記伝送網に送信した場合に、前記配信通知を前記監視装置に送信する、請求項２に記載の通信システム。
【請求項６】
前記通知部は、
前記監視装置に送信する前記配信要求に、前記災害警報の対象となる災害発生エリアの緯度経度情報を含め、
前記監視装置は、
前記複数の伝送装置の各々の緯度経度情報を記憶する記憶部をさらに含み、
前記設定部は、
前記配信通知を受信した場合、前記配信通知に含まれる前記災害発生エリアの緯度経度情報と、前記複数の伝送装置の各々の緯度経度情報と、を基に、前記災害発生エリアから所定範囲内にある伝送装置を、前記配信要求の送信先の基地局に接続される伝送装置と特定する、請求項５に記載の通信システム。
【請求項７】
前記設定部は、
前記配信通知を受信した場合、前記特定した伝送装置の緊急時用パスとして、故障が発生した前記伝送装置及び通信品質が閾値以下の前記伝送路を通らないパスを算出する、請求項２から６のいずれか１項に記載の通信システム。
【請求項８】
前記設定部は、
前記特定した伝送装置の緊急時用パスとして、故障が発生した前記伝送装置及び通信品質が閾値以下の前記伝送路を通らないパスが複数ある場合、前記伝送装置の数が最も少ないパスを算出する、請求項７に記載の通信システム。
【請求項９】
前記設定部は、
前記配信通知を受信してから予め決められた再算出時間経過後に、前記特定した伝送装置の緊急時用パスを再算出し、前記特定した伝送装置に設定していた緊急時用パスを前記再算出した緊急時用パスに切り替える、請求項２から８のいずれか１項に記載の通信システム。
【請求項１０】
前記設定部は、
前記特定した伝送装置以外の他の伝送装置の緊急時用パスとして、前記特定した伝送装置の緊急時用パスとは前記伝送装置及び前記伝送路が異なるパスを算出し、前記他の伝送装置に設定していたパスを前記算出した緊急時用パスに切り替える、請求項２から９のいずれか１項に記載の通信システム。
【請求項１１】
前記監視装置は、
前記複数の伝送装置毎に、該伝送装置に接続される前記基地局が前記伝送網を介して上位装置と通信を行う場合の前記パスを設定する設定部と、
前記複数の伝送装置の各々の予め決められた緊急時用パスを記憶する記憶部と、
前記配信通知を受信する通信部と、を含み、
前記設定部は、
前記配信通知を受信した場合、前記複数の伝送装置の各々に設定していたパスを前記予め決められた緊急時用パスに切り替える、請求項１に記載の通信システム。
【請求項１２】
前記通知部は、
前記複数の伝送装置の各々に設けられており、
前記通知部が設けられた前記伝送装置が前記配信要求を中継した場合に、前記配信通知を前記監視装置に送信する、請求項１１に記載の通信システム。
【請求項１３】
前記配信要求を生成し、生成した配信要求を前記伝送網に送信する配信要求生成装置をさらに備え、
前記通知部は、
前記配信要求生成装置に設けられており、
前記配信要求生成装置が前記配信要求を前記伝送網に送信した場合に、前記配信通知を前記監視装置に送信する、請求項１１に記載の通信システム。
【請求項１４】
前記監視装置は、
前記伝送装置に設定していたパスを緊急時用パスに切り替えた場合、その旨の表示に用いるデータを出力する表示データ出力部をさらに含む、請求項２から１３のいずれか１項に記載の通信システム。
【請求項１５】
前記設定部は、
前記伝送装置に設定していたパスを緊急時用パスに切り替えてから予め決められた解除時間経過後に、前記伝送装置に設定した緊急時用パスを元のパスに戻す、請求項２から１４のいずれか１項に記載の通信システム。
【請求項１６】
前記監視装置は、
操作部を備え、
前記設定部は、
前記伝送装置に設定した緊急時用パスを元のパスに戻す操作が前記操作部上でなされた場合に、前記特定した伝送装置に設定した緊急時用パスを元のパスに戻す、請求項２から１４のいずれか１項に記載の通信システム。
【請求項１７】
伝送網で伝送される情報を中継する複数の伝送装置を監視する監視装置であって、
前記伝送網内の通信経路であるパスを設定する設定部と、
前記伝送網から基地局に対して、災害警報の配信を要求する配信要求が送信された場合、その旨を表す配信通知を受信する通信部と、を備える、監視装置。
【請求項１８】
前記設定部は、
前記複数の伝送装置毎に、該伝送装置に接続される基地局が前記伝送網を介して上位装置と通信を行う場合の前記パスを設定するものであり、
前記配信通知を受信した場合、前記配信要求の送信先の基地局に接続される伝送装置を特定し、前記複数の伝送装置の各々の故障状況及び前記複数の伝送装置間の伝送路の通信品質状況のうちの少なくとも一方を基に、前記特定した伝送装置の緊急時用パスを算出し、前記特定した伝送装置に設定していたパスを前記算出した緊急時用パスに切り替える、請求項１７に記載の監視装置。
【請求項１９】
前記複数の伝送装置の各々の識別情報を記憶する記憶部をさらに備え、
前記通信部は、
前記複数の伝送装置のうち前記配信要求を中継した伝送装置から、前記基地局に接続される前記伝送装置の識別情報を含む前記配信要求を受信し、
前記設定部は、
前記配信通知を受信した場合、前記配信通知に含まれる識別情報と、前記複数の伝送装置の各々の識別情報と、を基に、前記配信通知に含まれる識別情報を持つ前記伝送装置を、前記配信要求の送信先の基地局に接続される伝送装置と特定する、請求項１８に記載の監視装置。
【請求項２０】
前記設定部は、
前記配信通知を受信した場合、前記特定した伝送装置の緊急時用パスとして、故障が発生した前記伝送装置及び通信品質が閾値以下の前記伝送路を通らないパスを算出する、請求項１８又は１９に記載の監視装置。
【請求項２１】
前記設定部は、
前記特定した伝送装置の緊急時用パスとして、故障が発生した前記伝送装置及び通信品質が閾値以下の前記伝送路を通らないパスが複数ある場合、前記伝送装置の数が最も少ないパスを算出する、請求項２０に記載の監視装置。
【請求項２２】
前記設定部は、
前記配信通知を受信してから予め決められた再算出時間経過後に、前記特定した伝送装置の緊急時用パスを再算出し、前記特定した伝送装置に設定していた緊急時用パスを前記再算出した緊急時用パスに切り替える、請求項１８から２１のいずれか１項に記載の監視装置。
【請求項２３】
前記設定部は、
前記特定した伝送装置以外の他の伝送装置の緊急時用パスとして、前記特定した伝送装置の緊急時用パスとは前記伝送装置及び前記伝送路が異なるパスを算出し、前記他の伝送装置に設定していたパスを前記算出した緊急時用パスに切り替える、請求項１８から２２のいずれか１項に記載の監視装置。
【請求項２４】
前記複数の伝送装置毎に、該伝送装置に接続される前記基地局が前記伝送網を介して上位装置と通信を行う場合の前記伝送網内の通信経路であるパスを設定する設定部と、
前記複数の伝送装置の各々の予め決められた緊急時用パスを記憶する記憶部と、をさらに備え、
前記設定部は、
前記配信通知を受信した場合、前記複数の伝送装置の各々に設定していたパスを前記予め決められた緊急時用パスに切り替える、請求項１７に記載の監視装置。
【請求項２５】
前記伝送装置に設定していたパスを緊急時用パスに切り替えた場合、その旨の表示に用いるデータを出力する表示データ出力部をさらに備える、請求項１８から２４のいずれか１項に記載の監視装置。
【請求項２６】
前記設定部は、
前記伝送装置に設定していたパスを緊急時用パスに切り替えてから予め決められた解除時間経過後に、前記伝送装置に設定した緊急時用パスを元のパスに戻す、請求項１８から２５のいずれか１項に記載の監視装置。
【請求項２７】
操作部をさらに備え、
前記設定部は、
前記伝送装置に設定した緊急時用パスを元のパスに戻す操作が前記操作部上でなされた場合に、前記伝送装置に設定した緊急時用パスを元のパスに戻す、請求項１８から２５のいずれか１項に記載の監視装置。
【請求項２８】
伝送網で伝送される情報を中継する複数の伝送装置のうちの１つの伝送装置であって、
前記伝送網から基地局に対して、災害警報の配信を要求する配信要求を送信する場合に、前記配信要求を中継する通信部と、
前記通信部が前記配信要求を中継した場合、前記伝送網から前記基地局に対して前記配信要求が送信された旨を表す配信通知を、前記伝送網内の通信経路であるパスを設定する監視装置に送信する通知部と、を備える、伝送装置。
【請求項２９】
基地局と、伝送網で伝送される情報を中継する複数の伝送装置と、前記複数の伝送装置を監視する監視装置と、を備える通信システムによる通信方法であって、
前記監視装置が、前記伝送網内の通信経路であるパスを設定し、
前記伝送網から基地局に対して、災害警報の配信を要求する配信要求を送信する場合に、前記伝送装置が前記配信要求を中継し、
前記伝送装置が、前記配信要求を中継した場合、前記伝送網から前記基地局に対して前記配信要求が送信された旨を表す配信通知を前記監視装置に送信する、通信方法。
【発明の詳細な説明】
【技術分野】
【０００１】
本発明は、通信システム、監視装置、伝送装置、通信方法に関し、特に、災害の発生を知らせる災害警報を配信するための通信システム、監視装置、伝送装置、通信方法に関する。
【背景技術】
【０００２】
近年、無線通信の大容量化、長距離伝送を実現する技術として、マイクロ波通信が注目されている。また、マイクロ波通信を移動体通信に応用した通信システムも提案されている（特許文献１，２）。特許文献１には、基地局とコアネットワーク装置との間に複数のマイクロ波通信装置を設けた通信システムが開示されている。また、特許文献２には、基地局がマイクロ波通信システムを介して他装置（ＲＮＣ（Radio Network Controller）等）と通信を行う通信システムが開示されている。特許文献２のマイクロ波通信システムは、マイクロ波通信を行う複数の伝送装置（ＮＥ（Network Element））と、複数の伝送装置を監視する監視装置であるＮＭＳ（Network Management System）とで構成される。なお、ＮＭＳの機能としては、マイクロ波通信システム内の通信経路を表すパスを設定する機能等がある。
【先行技術文献】
【特許文献】
【０００３】
【特許文献１】特開２０１０−７４５２０号公報
【特許文献２】特開２０１３−２５５０４５号公報
【発明の概要】
【発明が解決しようとする課題】
【０００４】
ところで、昨今、緊急地震速報（ＥＴＷＳ：Earthquake and Tsunami Warning System）と呼ばれるサービスが普及している。このサービスでは、地震や津波等の災害の発生を知らせる災害警報をＥＴＷＳメッセージとして配信エリアに配信する。特許文献１，２に開示された通信システムでＥＴＷＳメッセージを配信する場合、コアネットワークやＲＮＣから基地局に対し、ＥＴＷＳメッセージの配信を要求するＥＴＷＳ配信要求を送信し、その基地局から配信エリアにＥＴＷＳメッセージを配信することが考えられる。
【０００５】
ここで、ＥＴＷＳメッセージの配信エリアでは、その配信エリアに在圏する端末からの１１９番などの緊急呼や安否確認のための呼などが多発することが考えられる。こうした呼は緊急を要するものであるため、より確実に伝送する必要がある。
しかし、配信エリアをカバーする基地局が使用していたパスに、伝送路の通信品質の劣化や伝送装置の故障等が発生していた場合には、配信エリアに在圏する端末は、発呼した呼が伝送されず、通話不能になる可能性がある。
【０００６】
これを回避するため、ＥＴＷＳメッセージが配信された場合に、ＮＭＳがパスを切り替えることも考えられるが、ＮＭＳはそもそも、ＥＴＷＳメッセージが配信されたことを知らず、また、それを知るための術もない。
そこで本発明の目的の１つは、上述した課題を解決し、災害警報が配信されたことを監視装置が知ることができる通信システム、監視装置、伝送装置、通信方法を提供することにある。
【課題を解決するための手段】
【０００７】
一態様において、通信システムは、基地局と、伝送網で伝送される情報を中継する複数の伝送装置と、前記伝送網内の通信経路であるパスを設定する監視装置と、前記伝送網から前記基地局に対して、災害警報の配信を要求する配信要求が送信された場合、その旨を表す配信通知を前記監視装置に送信する通知部と、を備える。
【０００８】
一態様において、監視装置は、伝送網で伝送される情報を中継する複数の伝送装置を監視する監視装置である。前記監視装置は、前記伝送網内の通信経路であるパスを設定する設定部と、前記伝送網から基地局に対して、災害警報の配信を要求する配信要求が送信された場合、前記複数の伝送装置のうち前記配信要求を中継した伝送装置から、その旨を表す配信通知を受信する通信部と、を備える。
【０００９】
一態様において、伝送装置は、伝送網で伝送される情報を中継する複数の伝送装置のうちの１つの伝送装置である。前記伝送装置は、前記伝送網から基地局に対して、災害警報の配信を要求する配信要求を送信する場合に、前記配信要求を中継する通信部と、前記通信部が前記配信要求を中継した場合、前記伝送網から前記基地局に対して前記配信要求が送信された旨を表す配信通知を、前記伝送網内の通信経路であるパスを設定する監視装置に送信する通知部と、を備える。
【００１０】
一態様において、通信方法は、基地局と、伝送網で伝送される情報を中継する複数の伝送装置と、前記複数の伝送装置を監視する監視装置と、を備える通信システムによる通信方法である。前記通信方法では、前記監視装置が、前記伝送網内の通信経路であるパスを設定し、前記伝送網から基地局に対して、災害警報の配信を要求する配信要求を送信する場合に、前記伝送装置が前記配信要求を中継し、前記伝送装置が、前記配信要求を中継した場合、前記伝送網から前記基地局に対して前記配信要求が送信された旨を表す配信通知を前記監視装置に送信する。
【発明の効果】
【００１１】
上述した態様によれば、災害警報が配信されたことを監視装置が知ることができるという効果が得られる。
【図面の簡単な説明】
【００１２】
【図１】実施形態１に係る通信システムの構成例を示す図である。
【図２】実施形態２に係る通信システムの構成例を示す図である。
【図３】実施形態２に係る伝送装置の構成例を示す図である。
【図４】実施形態２に係るＮＭＳの構成例を示す図である。
【図５】実施形態２に係る通信システムの動作例を示すフローチャートである。
【図６】実施形態２に係るＮＭＳにおける緊急時用パスの算出方法の具体例を示す図である。
【図７】実施形態３に係る通信システムの動作例を示すフローチャートである。
【図８】実施形態４に係るＣＢＣの構成例を示す図である。
【図９】実施形態４に係る通信システムの動作例を示すフローチャートである。
【発明を実施するための形態】
【００１３】
以下、図面を参照して本発明の実施形態について説明する。
（１）実施形態１
図１に、本実施形態に係る通信システムの構成例を示す。図１に示される通信システムは、伝送装置１−１〜１−４と、監視装置２と、基地局３と、通知部４と、を備える。以下では、伝送装置１−１〜１−４を特定しない場合は、単に伝送装置１と呼ぶ。また、図１は、４台の伝送装置１−１〜１−４で伝送網ＮＷを構成しているが、伝送網ＮＷを構成する伝送装置１の台数は複数であれば良い。また、図１は、説明の簡易化のために、１台の基地局３のみを示しているが、基地局３の台数は複数であっても良い。
【００１４】
伝送装置１−１〜１−４は、伝送網ＮＷで伝送される情報を中継する。
監視装置２は、伝送装置１−１〜１−４を監視するもので、ＮＭＳ（Network Management System）等で実現される。また、監視装置２は、伝送網ＮＷ内の通信経路であるパスを設定する。なお、監視装置２が設定するパスには、通常時用パス及び緊急時用パスが含まれる。
基地局３は、基地局３がカバーするエリアに在圏する不図示の端末との間で無線通信を行う。
【００１５】
ここで、地震や津波等の災害の発生が予測される旨を表す警報である災害警報を、基地局３がカバーする配信エリアに配信する場合、伝送網ＮＷから基地局３に対し、災害警報の配信を要求する配信要求を送信する。基地局３は、災害警報の配信要求を受信すると、配信エリアに在圏する端末に対し、災害警報を配信する。
【００１６】
通知部４は、伝送網ＮＷから基地局３に対し、災害警報の配信要求が送信された場合、その旨を表す配信通知を監視装置２に送信する。なお、通知部４の設置位置は特に限定されない。例えば、通知部４は、伝送装置１−１〜１−４の各々に設けても良い。その場合、通知部４は、自己が設けられた伝送装置１が災害警報の配信要求を中継した場合に、配信通知を監視装置２に送信することができる。又は、通知部４は、配信要求を生成する不図示の配信要求生成装置に設けても良い。その場合、通知部４は、配信要求生成装置が伝送網ＮＷに災害警報の配信要求を送信した場合に、配信通知を監視装置２に送信することができる。なお、配信要求生成装置は、ＣＢＣ（Cell Broadcast Center）等で実現される。
【００１７】
上述したように本実施形態においては、通知部４は、伝送網ＮＷから基地局３に対し、災害警報の配信要求が送信された場合、その旨を表す配信通知を監視装置２に送信する。そのため、監視装置２は、災害警告が配信されたことを知ることができる。
【００１８】
（２）実施形態２
本実施形態は、実施形態１の構成及び動作をより具体化したものである。本実施形態は、実施形態１の通信システムをＬＴＥ（Long Term Evolution）システムとし、実施形態１の通知部４を伝送網ＮＷを構成する複数の伝送装置の各々に設けた例である。図２に、本実施形態に係る通信システムの構成例を示す。図２に示される通信システムは、伝送装置１０−１〜１０−９と、監視装置であるＮＭＳ２０と、ＣＢＥ（Cell Broadcast Entity）３０と、配信要求生成装置であるＣＢＣ４０と、上位装置であるＭＭＥ（Mobility Management Entity）５０と、基地局であるｅＮＢ（eNodeB）６０と、を備える。以下では、伝送装置１０−１〜１０−９を特定しない場合は、単に伝送装置１０と呼ぶ。また、図２は、９台の伝送装置１０−１〜１０−９で伝送網ＮＷを構成しているものとするが、伝送網ＮＷを構成する伝送装置１０の台数は複数であれば良い。また、図２は、説明の簡易化のために、１台のｅＮＢ６０のみを示しているが、ｅＮＢ６０の台数は複数であっても良い。
【００１９】
伝送装置１０−１〜１０−９は、ＭＭＥ５０とｅＮＢ６０との間の伝送網ＮＷを構成し、伝送網ＮＷ内で伝送される情報を中継する。なお、伝送装置１０−１〜１０−９の通信方式は、マイクロ波通信を想定しているが、特に限定はない。
ＮＭＳ２０は、伝送装置１０−１〜１０−９の故障状況及び伝送装置１０間の伝送路の通信品質状況を監視する。また、ＮＭＳ２０は、伝送装置１０−１〜１０−９毎に、その伝送装置１０に接続されるｅＮＢ６０が伝送網ＮＷを介してＭＭＥ５０と通信する場合の伝送網ＮＷ内の通信経路であるパスを設定する。具体的には、パスは、そのパスが通る伝送装置１０及び伝送装置１０間の伝送路を表すものである。図２の例では、伝送装置１０−８には、伝送装置１０−２←→伝送装置１０−４←→伝送装置１０−８というパスが通常時用パスとして設定されている。なお、ＮＭＳ２０は、ある伝送装置１０のパスを設定する場合は、そのパスが通る伝送装置１０の各々にそのパスに関する情報を設定する。そして、その情報に従い、各伝送装置１０は、そのパスを使用して中継を行う。
【００２０】
ＣＢＥ３０は、ＥＴＷＳに関する情報の配信元である。ＣＢＥ３０は、ＥＴＷＳに関する情報として、ＥＴＷＳの対象となる地震や津波等の災害の種別や、その災害の発生が予測される災害発生エリアの緯度経度情報をＣＢＣ４０に通知する。
【００２１】
ＣＢＣ４０は、ＣＢＥ３０から災害の種別や災害発生エリアの緯度経度情報を受信すると、災害の種別を基に、災害の発生を知らせる災害警報となるＥＴＷＳメッセージを生成する。また、ＣＢＣ４０は、災害発生エリアの緯度経度情報を基に、ＥＴＷＳメッセージの配信エリアを特定する。配信エリアは、ｅＮＢ６０が形成するセル単位、不図示のＵＥ（User Equipment）が位置登録を行わずに移動可能なエリアであるＴＡ（Tracking Area）単位、又は、オペレータが自由に定義することができるエリアであるＥＡ（Emergency Area）単位等で設定可能である。なお、ＴＡ及びＥＡは、１つのセルからなるエリア又は２つ以上のセルを組み合わせたエリアとなる。
【００２２】
また、ＣＢＣ４０は、ＥＴＷＳメッセージ及びＥＴＷＳメッセージの配信エリアを特定する情報（セルＩＤ（Identifier）、ＴＡＩ（TA Identifier）、ＥＡＩ（EA Identifier）等）を含むＥＴＷＳ配信要求を生成する。そして、ＣＢＣ４０は、上記で特定した配信エリアをカバーするｅＮＢ６０の上位装置となるＭＭＥ５０に対し、上記で生成したＥＴＷＳ配信要求を送信する。
【００２３】
ＭＭＥ５０は、ｅＮＢ６０の上位装置であり、ｅＮＢ６０と伝送網ＮＷを介して接続される。ＭＭＥ５０は、ＣＢＣ４０からＥＴＷＳ配信要求を受信すると、ＥＴＷＳ配信要求に含まれる配信エリアをカバーするｅＮＢ６０に接続される伝送装置１０（ここでは伝送装置１０−８）に対し、ＥＴＷＳ配信要求を送信する。この伝送装置１０は、ＭＭＥ５０からＥＴＷＳ配信要求を受信すると、ＥＴＷＳ配信要求に含まれる配信エリアをカバーするｅＮＢ６０に対し、ＥＴＷＳ配信要求を送信する。なお、ｅＮＢ６０に接続される伝送装置１０とは、伝送網ＮＷ内でｅＮＢ６０側の最終段に位置し、ｅＮＢ６０と信号・データの受け渡しを直接行う伝送装置であるとする（以下同じ）。
【００２４】
ｅＮＢ６０は、ｅＮＢ６０がカバーするエリアに在圏する不図示のＵＥとの間で無線通信を行う。ｅＮＢ６０は、伝送装置１０からＥＴＷＳ配信要求を受信すると、ＥＴＷＳ配信要求に含まれる配信エリアに在圏する不図示のＵＥに対し、ＥＴＷＳ配信要求に含まれるＥＴＷＳメッセージを配信する。
【００２５】
ここで、本実施形態に係る伝送装置１０−１〜１０−９及びＮＭＳ２０の構成について説明する。図３に、伝送装置１０−１〜１０−９の構成例を示す。伝送装置１０−１〜１０−９は、通信部１１と、記憶部１２と、通知部１３と、を備える。通信部１１は、ＮＭＳ２０、ＭＭＥ５０、ｅＮＢ６０、自己の伝送装置１０以外の他の伝送装置１０と通信を行う通信インタフェースである。記憶部１２は、ＮＭＳ２０により設定されたパスの情報等の各種情報を記憶するメモリである。通知部１３は、通信部１１がＥＴＷＳ配信要求を中継した場合、ＮＭＳ２０に対し、伝送網ＮＷからｅＮＢ６０に対してＥＴＷＳ配信要求が送信されたことを表す配信通知を送信する部分であり、プロセッサ内に設けられている。図４にＮＭＳ２０の構成例を示す。ＮＭＳ２０は、通信部２１と、記憶部２２と、表示データ出力部２３と、操作部２４と、設定部２５と、を備える。通信部２１は、伝送装置１０、ＣＢＣ４０と通信を行う通信インタフェースである。記憶部２２は、伝送装置１０−１〜１０−９の各々の通常時用パスやＩＰアドレス等の各種情報を記憶するメモリである。表示データ出力部２３は、通常時用パスを切り替えた旨の表示に用いるデータを出力する部分である。例えば、表示データ出力部２３は、上記データをＮＭＳ画面に表示するディスプレイである。ただし、表示データ出力部２３は、上記データを印刷するプリンタや音声出力するスピーカの他、上記データを出力する機能を備える記憶部等でも良い。以下では、表示データ出力部２３は、上記のディスプレイであるものとして説明する。操作部２４は、オペレータにより手動で操作がなされる部分であり、キーボードやタッチパネル等である。設定部２５は、伝送装置１０−１〜１０−９毎に、その伝送装置１０のパスを設定する部分であり、プロセッサ内に設けられている。設定部２５は、通常時には、伝送装置１０−１〜１０−９に通常時用パスを設定しているが、伝送装置１０−１〜１０−９のいずれかから配信通知を受信した場合には、ＥＴＷＳ配信要求の送信先のｅＮＢ６０に接続される伝送装置１０を特定し、特定した伝送装置１０に設定していた通常時用パスを緊急時用パスに切り替える。
【００２６】
なお、ＣＢＥ３０、ＣＢＣ４０、ＭＭＥ５０、及びｅＮＢ６０は、本実施形態の本質的な部分ではないため、詳細構成の説明を省略する。
【００２７】
以下、本実施形態に係る通信システムの動作について、図５のフローチャートを参照して説明する。ここでは、伝送装置１０−８には、伝送装置１０−２←→伝送装置１０−４←→伝送装置１０−８というパスが通常時用パスとして設定されているものとする。
【００２８】
まず、ＣＢＣ４０は、ＣＢＥ３０からＥＴＷＳに関する情報が通知されたか判定する（ステップＡ１）。情報が通知されていた場合は（ステップＡ１のＹｅｓ）、ＣＢＣ４０は、ＥＴＷＳメッセージを生成すると共に、ＥＴＷＳメッセージの配信エリアを特定し、ＥＴＷＳメッセージ及びＥＴＷＳメッセージの配信エリアを特定する情報を含むＥＴＷＳ配信要求を生成する。このＥＴＷＳ配信要求は、ＣＢＣ４０からＭＭＥ５０及び伝送網ＮＷを経由して、上記で特定した配信エリアをカバーするｅＮＢ６０に向けて送信される（ステップＡ２）。ここでは、配信エリアをカバーするｅＮＢ６０が、図２に示されるように、伝送装置１０−８に接続されているｅＮＢ６０であるとする。そのため、ＥＴＷＳ配信要求は、伝送装置１０−２→伝送装置１０−４→伝送装置１０−８の経路で伝送される。続いて、伝送装置１０−１〜１０−９の各々の通知部１３は、通信部１１がＥＴＷＳ配信要求を中継したか判定する（ステップＡ３）。ここでは、伝送装置１０−２，１０−４，１０−８の各々の通知部１３が、ＥＴＷＳ配信要求を中継したと判定し（ステップＡ３のＹｅｓ）、ＮＭＳ２０に対し、伝送網ＮＷからｅＮＢ６０に対してＥＴＷＳ配信要求が送信されたことを表す配信通知を送信する（ステップＡ４）。このとき、配信通知には、配信エリアをカバーするｅＮＢ６０に接続されている伝送装置１０−８を識別する識別情報としてのＩＰアドレスを含める。なお、伝送装置１０−８のＩＰアドレスは、ＥＴＷＳ配信要求に含まれており、ＥＴＷＳ配信要求から取得する。
【００２９】
ＮＭＳ２０の記憶部２２は、伝送装置１０−１〜１０−９の各々のＩＰアドレスを記憶している。ＮＭＳ２０の設定部２５は、伝送装置１０からのＥＴＷＳ配信通知を通信部２１にて受信すると、受信したＥＴＷＳ配信通知に含まれるＩＰアドレスと、伝送装置１０−１〜１０−９の各々のＩＰアドレスと、を基に、ＥＴＷＳ配信通知に含まれるＩＰアドレスを持つ伝送装置１０−８を特定する。すなわち、ＥＴＷＳ配信通知に含まれるＩＰアドレスを持つ伝送装置１０−８を、ＥＴＷＳ配信要求の送信先のｅＮＢ６０に接続される伝送装置１０と特定する。また、ＮＭＳ２０の設定部２５は、伝送装置１０−１〜１０−９の故障状況及び伝送路の通信品質状況（通信速度、帯域）を監視しており、現時点での監視結果を基に、伝送装置１０−８に接続されたｅＮＢ６０からの呼を確実に伝送できるよう、伝送装置１０−８について緊急時用パスを算出し、伝送装置１０−８に設定していた通常用パスを緊急時用パスに切り替える（ステップＡ５）。また、ＮＭＳ２０の設定部２５は、伝送装置１０−８に設定した緊急時用パスが通る伝送装置１０又は伝送路が、他の伝送装置１０の通常時用パスが通る伝送装置１０又は伝送路と同じであった場合、他の伝送装置１０についても緊急時用パスを算出し、他の伝送装置１０に設定していた通常用パスを緊急時用パスに切り替える（ステップＡ６）。なお、ステップＡ５，Ａ６における緊急時用パスの算出方法は後述する。また、ＮＭＳ２０の表示データ出力部２３は、設定部２５が緊急時用パスに切り替えた場合、その旨を表すＮＭＳ画面を表示する（ステップＡ７）。
【００３０】
ＮＭＳ２０の設定部２５は、緊急時用パスの解除時間が予めオペレータにより事前に決められているか判定する（ステップＡ８）。事前に決められていれば（ステップＡ８のＹｅｓ）、ＮＭＳ２０の設定部２５は、解除時間が経過した時点で（ステップＡ９のＹｅｓ）、伝送装置１０−８に設定した緊急時用パスを通常時用パスに戻す（ステップＡ１０）。一方、事前に決められていなければ（ステップＡ８のＮｏ）、ＮＭＳ２０の設定部２５は、操作部２４上で、オペレータにより緊急時用パスを解除する操作が手動でなされた時点で（ステップＡ１１のＹｅｓ）、伝送装置１０−８に設定した緊急時用パスを通常時用パスに戻す（ステップＡ１０）。なお、ステップＡ１０では、ステップＡ６で他の伝送装置１０に緊急時用パスを設定していた場合は、そのパスを通常時用パスに戻すことも行う。
【００３１】
以下、ステップＡ５，Ａ６における緊急時用パスの算出方法について説明する。
ステップＡ５では、ＮＭＳ２０の設定部２５は、以下のルールに従って、伝送装置１０−８についての緊急時用パスを算出する。
・故障している伝送装置１０は通らない。
・通信品質が閾値以下の伝送路を通らない。例えば、通信品質を通信速度及び帯域で表す場合は、通信速度が閾値以下、帯域が閾値以下という２つの条件の一方又は双方を満たせば、通信品質が閾値以下と判定することができる。
・故障している伝送装置１０を通らず、かつ、通信品質が閾値以下の伝送路を通らないパスが複数存在する場合は、それら複数のパスの中でＭＭＥ５０までの伝送装置１０の数が最も少ないパスを選択する
【００３２】
また、ステップＡ６では、ＮＭＳ２０の設定部２５は、以下のルールに従って、他の伝送装置１０についての緊急時用パスを算出する。
・故障している伝送装置１０は通らない。
・通信品質が閾値以下の伝送路を通らない。
・伝送装置１０−８の緊急時用パスが通る伝送装置１０及び伝送路は通らない。
・故障している伝送装置１０を通らず、かつ、通信品質が閾値以下の伝送路を通らず、かつ、伝送装置１０−８の緊急時用パスが通る伝送装置１０及び伝送路を通らないパスが複数存在する場合は、それら複数のパスの中でＭＭＥ５０までの伝送装置１０の数が最も少ないパスを選択する
【００３３】
ここで、ステップＡ５，Ａ６における緊急時用パスの算出方法について具体例を挙げて説明する。ここでは、図６に示されるように、配信エリアをカバーするｅＮＢ６０が接続される伝送装置１０−８の通常時用パスとして、伝送装置１０−２←→伝送装置１０−４←→伝送装置１０−８が設定されており、このパスを介してＥＴＷＳ配信要求がｅＮＢ６０に送信されたとする。また、緊急時用パスを算出する時点で、伝送装置１０−３，１０−６，１０−７が故障し、伝送装置１０−４←→伝送装置１０−８間の伝送路の通信品質が閾値以下であったとする。その場合、ＮＭＳ２０の設定部２５は、伝送装置１０−８について、故障している伝送装置１０−３，１０−６，１０−７を通らず、かつ、通信品質が閾値以下の伝送装置１０−４←→伝送装置１０−８間の伝送路を通らないパスとして、例えば、伝送装置１０−２←→伝送装置１０−５←→伝送装置１０−８というパスを、緊急時用パスとして算出する。ここで、伝送装置１０−８の緊急時用パスが、配信エリア外をカバーするｅＮＢ６０−１が接続される伝送装置１０−９の通常時用パスと、伝送装置１０又は伝送路のいずれかが同じであったとする。その場合、ＮＭＳ２０の設定部２５は、伝送装置１０−９について、故障している伝送装置１０−３，１０−６，１０−７を通らず、かつ、通信品質が閾値以下の伝送装置１０−４←→伝送装置１０−８間の伝送路を通らず、かつ、伝送装置１０−８の緊急時用パスが通る伝送装置１０及び伝送路を通らないパスとして、例えば、伝送装置１０−１←→伝送装置１０−４←→伝送装置１０−９というパスを、緊急時用パスとして算出する。
【００３４】
上述したように本実施形態においては、伝送装置１０−１〜１０−９の各々に通知部１３を設け、通知部１３は、自己の伝送装置１０がＥＴＷＳ配信要求を中継した場合、ＮＭＳ２０に対し、ＥＴＷＳ配信要求が送信されたことを表す配信通知を送信する。そのため、ＮＭＳ２０は、ＥＴＷＳメッセージが配信されたことを知ることができる。
【００３５】
また、通知部１３は、配信通知には、配信エリアをカバーするｅＮＢ６０に接続された伝送装置１０−８のＩＰアドレスを含める。そのため、ＮＭＳ２０は、配信通知により、伝送装置１０−８を特定でき、特定した伝送装置１０−８に設定していた通常時用パスを緊急時用パスに切り替えることができる。
【００３６】
また、ＮＭＳ２０は、伝送装置１０−１〜１０−９の故障状況及び伝送路の通信品質状況を基に、配信エリアからの呼をより確実に伝送するよう、伝送装置１０−８の緊急時用パスを算出することができる。
【００３７】
また、ＮＭＳ２０は、伝送装置１０−８を緊急時用パスに切り替えた場合、その旨を表すＮＭＳ画面を表示データ出力部２３に表示する。そのため、オペレータは、自身で設定した通常時用パスが緊急時用パスに切り替わったことを知ることができる。
【００３８】
また、ＮＭＳ２０は、伝送装置１０−８の緊急時用パスが、配信エリア外をカバーするｅＮＢに接続された他の伝送装置１０の通常時用パスと、伝送装置１０又は伝送路のいずれかが同じであった場合、他の伝送装置１０も緊急時用パスに切り替える。そのため、伝送装置１０−８の緊急時用パスを専用パスとし、他の伝送装置１０のパスと分けることができる。ここで、ＥＴＷＳメッセージの配信時に、配信エリアからの呼を優先して伝送する方法として、ＮＭＳ２０が、配信エリアからの呼のＱｏＳ（Quality of Service）を変更する方法も考えられる。しかし、ＱｏＳを変更することで配信エリア外からの呼の通信品質が劣化することが考えられる。本実施形態では、伝送装置１０−８の緊急時用パスを、他の伝送装置１０のパスと分けることで、配信エリアからの呼及び配信エリア外からの呼の通信品質を共に劣化させることなく、これらの呼を伝送することが可能となる。
【００３９】
また、配信エリアからの呼が多発する期間は、災害の程度により異なる。そのため、ＮＭＳ２０における緊急時用パスの解除時間は、予め決められていても良い。その場合、ＮＭＳ２０は、予め決められた解除時間が経過した時点で、緊急時用パスを解除すれば良い。又は、ＮＭＳ２０は、オペレータによる解除操作が手動でなされた時点で、緊急時用パスを解除しても良い。
【００４０】
また、ＥＴＷＳメッセージの配信時に、伝送装置１０−８を緊急時用パスに切り替えたとしても、災害により、その緊急時用パスが通る伝送装置１０が故障したり、伝送路の通信品質が劣化したりする可能性がある。そのため、ＮＭＳ２０は、伝送装置１０−８を緊急時用パスに切り替えてから予め決められた再算出時間経過後に、伝送装置１０−８の緊急時用パスを再算出し、算出した緊急時用パスに切り替えても良い。
【００４１】
（３）実施形態３
実施形態２は、ＮＭＳ２０の設定部２５は、配信通知を受信すると、伝送装置１０の故障状況及び伝送路の通信品質状況を基に、該当する伝送装置１０の緊急時用パスを算出していた。これに対して本実施形態は、伝送装置１０−１〜１０−９の各々について、通常時用パスだけでなく、緊急時用パスを予め決めておき、ＮＭＳ２０の記憶部２２に記憶しておく。そして、ＮＭＳ２０の設定部２５は、配信通知を受信すると、伝送装置１０−１〜１０−９の全てを、予め決められた緊急時用パスに切り替える。本実施形態は、実施形態２と比較して、上記以外の構成は同様である。
【００４２】
以下、本実施形態の通信システムの動作について、図７のフローチャートを参照して説明する。なお、図７において、図５と同様のステップには同一の符号を付している。
まず、図５と同様のステップＡ１〜Ａ４の処理を行う。ＮＭＳ２０の設定部２５は、伝送装置１０からの配信通知を通信部２１にて受信すると、伝送装置１０−１〜１０−９の全てを、予め決められた緊急時用パスに切り替える（ステップＢ１）。以降、図５と同様のステップＡ７〜Ａ１１の処理を行う。
【００４３】
上述したように本実施形態においては、伝送装置１０−１〜１０−９の各々に通知部１３を設け、通知部１３は、自己の伝送装置１０がＥＴＷＳ配信要求を中継した場合、ＮＭＳ２０に対し、ＥＴＷＳ配信要求が送信されたことを表す配信通知を送信する。そのため、ＮＭＳ２０は、ＥＴＷＳメッセージが配信されたことを知ることができる。
【００４４】
また、ＮＭＳ２０は、配信通知を受信すると、伝送装置１０−１〜１０−９の全てを、予め決められた緊急時用パスに切り替える。そのため、緊急時用パスを算出する時間を削減できるため、実施形態１と比較して、緊急時用パスに切り替えるまでの時間を短縮することができる。
【００４５】
また、ＮＭＳ２０は、伝送装置１０−１〜１０−９の全てを緊急時用パスに切り替えた場合、その旨を表すＮＭＳ画面を表示データ出力部２３に表示する。そのため、オペレータは、自身で設定した通常時用パスが緊急時用パスに切り替わったことを知ることができる。
【００４６】
また、ＮＭＳ２０における緊急時用パスの解除時間は、予め決められていても良い。その場合、ＮＭＳ２０は、予め決められた解除時間が経過した時点で、緊急時用パスを解除すれば良い。又は、ＮＭＳ２０は、オペレータによる解除操作が手動でなされた時点で、緊急時用パスを解除しても良い。
【００４７】
なお、本実施形態においては、伝送装置１０−１〜１０−９の全てを、予め決められた緊急時用パスに切り替えるため、緊急時用パスが通る伝送装置１０が故障していたり、伝送路の通信品質が劣化していたりする可能性がある。そのため、ＮＭＳ２０の設定部２５は、緊急時用パスへの切り替え前に、緊急時用パスが通る伝送装置１０の故障又は伝送路の通信品質の劣化が発生したか判定し、いずれの発生もなければ緊急時用パスに切り替える、という手順を踏んでも良い。また、伝送装置１０の故障又は伝送路の通信品質の劣化が発生している場合は、実施形態１のように、図５のステップＡ５，Ａ６の処理を行い、該当する伝送装置１０や他の伝送装置１０の緊急時用パスを算出しても良い。
【００４８】
また、本実施形態においては、伝送装置１０−１〜１０−９の全てを、予め決められた緊急時用パスに切り替えるため、配信エリアをカバーするｅＮＢ６０に接続された伝送装置１０−８を特定する必要はない。そのため、配信通知に、伝送装置１０−８のＩＰアドレスを含めない構成とすることもできる。
【００４９】
（４）実施形態４
実施形態２は、実施形態１の通知部４を伝送装置１０−１〜１０−９の各々に設けていた。これに対して本実施形態は、実施形態１の通知部４をＣＢＣ４０に設けている。
ここで、本実施形態に係るＣＢＣ４０の構成について説明する。図８に、ＣＢＣ４０の構成例を示す。ＣＢＣ４０は、通信部４１と、記憶部４２と、通知部４３と、を備えている。通信部４１は、ＣＢＥ３０、ＮＭＳ２０、ＭＭＥ５０と通信を行う通信インタフェースである。記憶部４２は、配信エリアと緯度経度情報とを対応付けた情報等の各種情報を記憶するメモリである。通知部４３は、通信部４１がＭＭＥ５０を介して伝送網ＮＷにＥＴＷＳ配信要求を送信した場合、ＮＭＳ２０に対し、伝送網ＮＷからｅＮＢ６０に対してＥＴＷＳ配信要求が送信されたことを表す配信通知を送信する部分であり、プロセッサ内に設けられている。このとき、配信通知には、災害発生エリアの緯度経度情報を含める。
【００５０】
上記以外で実施形態２と構成上で異なる点は、伝送装置１０−１〜１０−９の各々のプロセッサから通知部１３を削除した点と、ＮＭＳ２０の記憶部２２に伝送装置１０−１〜１０−９の各々の緯度経度情報を記憶しておく点と、がある。
【００５１】
以下、本実施形態の通信システムの動作について、図９のフローチャートを参照して説明する。なお、図９において、図５と同様のステップには同一の符号を付している。
まず、図５と同様のステップＡ１〜Ａ２の処理を行う。続いて、ＣＢＣ４０の通知部４３は、通信部４１がＭＭＥ５０を介して伝送網ＮＷにＥＴＷＳ配信要求を送信したか判定する（ステップＣ１）。ここでは、ＥＴＷＳ配信要求を送信したと判定し（ステップＣ１のＹｅｓ）、ＣＢＣ４０の通知部４３は、ＮＭＳ２０に対し、伝送網ＮＷからｅＮＢ６０に対してＥＴＷＳ配信要求が送信されたことを表す配信通知を送信する（ステップＣ２）。このとき、配信通知には、災害発生エリアの緯度経度情報を含める。
【００５２】
ＮＭＳ２０の記憶部２２は、伝送装置１０−１〜１０−９の各々の緯度経度情報を記憶している。ＮＭＳ２０の設定部２５は、伝送装置１０からの配信通知を通信部２１にて受信すると、受信した配信通知に含まれる災害発生エリアの緯度経度情報と、伝送装置１０−１〜１０−９の各々の緯度経度情報と、を基に、災害発生エリアから所定範囲内にある伝送装置１０を特定する。すなわち、災害発生エリアから所定範囲内にある伝送装置１０を、ＥＴＷＳ配信要求の送信先のｅＮＢ６０に接続される伝送装置１０と特定する。ここでは、伝送装置１０−８を特定したとする。続いて、ＮＭＳ２０の設定部２５は、図５のステップＡ５と同様にして、伝送装置１０−８について緊急時用パスを算出し、伝送装置１０−８に設定していた通常時用パスを緊急時用パスに切り替える（ステップＣ３）。以降、図５と同様のステップＡ６〜Ａ１１の処理を行う。
【００５３】
上述したように本実施形態においては、ＣＢＣ４０に通知部４３を設け、通知部４３は、ＣＢＣ４０がＭＭＥ５０にＥＴＷＳ配信要求を送信した場合、ＮＭＳ２０に対し、ＥＴＷＳ配信要求が送信されたことを表す配信通知を送信する。そのため、ＮＭＳ２０は、ＥＴＷＳメッセージが配信されたことを知ることができる。
【００５４】
また、通知部４３は、配信通知には災害発生エリアの緯度経度情報を含める。そのため、ＮＭＳ２０は、配信通知により、災害発生エリアから所定範囲内にある伝送装置１０−８を特定でき、特定した伝送装置１０−８に設定していた通常時用パスを緊急時用パスに切り替えることができる。このとき、通知部４３は、伝送装置１０よりも上流側のＣＢＣ４０に設けられているため、実施形態１と比較して、ＮＭＳ２０により早く配信通知を送信でき、緊急時用パスに切り替えるまでの時間を短縮することができる。
【００５５】
また、ＮＭＳ２０は、伝送装置１０−１〜１０−９の故障状況及び伝送路の通信品質状況を基に、配信エリアからの呼をより確実に伝送するよう、伝送装置１０−８の緊急時用パスを算出することができる。
【００５６】
また、ＮＭＳ２０は、伝送装置１０−８を緊急時用パスに切り替えた場合、その旨を表すＮＭＳ画面を表示データ出力部２３に表示する。そのため、オペレータは、自身で設定した通常時用パスが緊急時用パスに切り替わったことを知ることができる。
【００５７】
また、ＮＭＳ２０は、伝送装置１０−８の緊急時用パスが、配信エリア外をカバーするｅＮＢに接続された他の伝送装置１０の通常時用パスと、伝送装置１０又は伝送路のいずれかが同じであった場合、他の伝送装置１０の通常時用パスも緊急時用パスに切り替える。そのため、伝送装置１０−８の緊急時用パスを専用パスとし、他の伝送装置１０−９の緊急時用パスと分けることができる。そのため、配信エリアからの呼及び配信エリア外からの呼の通信品質を共に劣化させることなく、これらの呼を伝送することが可能となる。
【００５８】
また、ＮＭＳ２０における緊急時用パスの解除時間は、予め決められていても良い。その場合、ＮＭＳ２０は、予め決められた解除時間が経過した時点で、緊急時用パスを解除すれば良い。又は、ＮＭＳ２０は、オペレータによる解除操作が手動でなされた時点で、緊急時用パスを解除しても良い。
【００５９】
また、ＮＭＳ２０は、伝送装置１０−８を緊急時用パスに切り替えてから予め決められた再算出時間経過後に、伝送装置１０−８の緊急時用パスを再算出し、算出した緊急時用パスに切り替えても良い。
【００６０】
なお、本実施形態においては、災害発生エリアから所定範囲内にある伝送装置１０として複数の伝送装置１０が特定される可能性がある。その場合は、複数の伝送装置１０の各々について緊急時用パスの算出及び切り替えを行う。このときの複数の伝送装置１０の処理順は任意であるが、例えば、災害発生エリアに近い伝送装置１０ほど優先度を高く設定し、優先度が高い順に処理を行っても良い。
【００６１】
本発明は上記実施形態に限られたものではなく、趣旨を逸脱しない範囲で適宜変更することが可能である。
例えば、実施形態３，４を組み合わせても良い。その場合、ＮＭＳ２０は、ＣＢＣ４０から配信通知を受信すると、伝送装置１０−１〜１０−９の全てを、予め決められた緊急時用パスに切り替えれば良い。また、その場合、ＮＭＳ２０は、災害発生エリアから所定範囲内にある伝送装置１０を特定する必要はない。そのため、配信通知に、災害発生エリアの緯度経度情報を含めない構成とすることもできる。
【００６２】
また、実施形態２〜４においては、災害警報がＥＴＷＳメッセージである例について説明したが、災害警報は、災害の発生が予測される旨を表す警報であれば良く、ＥＴＷＳメッセージに限定されない。
【００６３】
また、実施形態２，４においては、伝送装置１０−１〜１０−９の故障状況及び伝送路の通信品質状況の双方を用いて緊急時用パスを算出する例について説明したが、緊急時用パスの算出に際しては、伝送装置１０−１〜１０−９の故障状況又は伝送路の通信品質状況の少なくとも一方を用いれば良い。
【００６４】
また、実施形態２，３においては、伝送装置１０−１〜１０−９を識別する識別情報としてＩＰアドレスを用いたが、識別情報はＩＰアドレスに限定されず、その他の情報であっても良い。
【００６５】
本発明の通信システムをＬＴＥシステムに適用した例について説明したが、３Ｇ（Third Generation）システムに適用しても良い。３Ｇシステムに適用した場合、上位装置としてＭＭＥ５０の代わりにＲＮＣ（Radio Network Controller）を設け、基地局としてｅＮＢ６０の代わりにＢＴＳ（Base Transceiver Station）を設ける。
【００６６】
また、伝送装置１０、ＮＭＳ２０、及びＣＢＣ４０における処理は、ＣＰＵ（Central Processing Unit）にコンピュータプログラムを実行させることにより実現されてもよい。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disk-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【符号の説明】
【００６７】
１−１〜１−４  伝送装置
２  監視装置
３  基地局
４  通知部
１０−１〜１０−９  伝送装置
１１  通信部
１２  記憶部
１３  通知部
２０  ＮＭＳ
２１  通信部
２２  記憶部
２３  表示データ出力部
２４  操作部
２５  設定部
３０  ＣＢＥ
４０  ＣＢＣ
４１  通信部
４２  記憶部
４３  通知部
５０  ＭＭＥ
６０  ｅＮＢ
【図１】
2016178395.tif 000003
【図２】
2016178395.tif 000004
【図３】
2016178395.tif 000005
【図４】
2016178395.tif 000006
【図５】
2016178395.tif 000007
【図６】
2016178395.tif 000008
【図７】
2016178395.tif 000009
【図８】
2016178395.tif 000010
【図９】
2016178395.tif 000011